(57)【特許請求の範囲】
【請求項１】
座部及び背もたれ（１）を備える車両シートであって、その使用位置にある前記背もたれを、快適さのため及び後部座席へのアクセスを容易にするために、前記使用位置から進入容易位置へ、前記座部に対して相対的に回転させることができ、前記背もたれが前記背もたれを所望の使用位置にロックするロック機構（３）を有し、前記ロック機構（３）と相互作用し且つ前記進入容易位置から移動する前記背もたれを再び元の所望の使用位置に自動的にロックする装置（２）が前記背もたれに設けられ、前記装置（２）と前記ロック機構が同軸上に設けられ、
前記装置（２）は直線的に調節可能な連結器（５）を有し、
前記装置（２）は、前記背もたれを前記使用位置から前記進入容易位置へ調節するために前記ロック機構（３）をロック解除するように駆動されるロック解除レバー（６）を有し、
前記連結器（５）は制御要素（９）を有し、
前記制御要素（９）は、前記ロック解除レバー（６）をそのロック解除位置に保持するように前記ロック解除レバー（６）と相互作用することができる手段（１０）を制御する、車両シート。
【請求項２】
前記装置（２）は、前記使用位置から前記進入容易位置への前記背もたれ（１）の調節の際に、回転運動を純粋な並進運動に変換する手段（７，８）を有する、請求項１に記載の車両シート。
【請求項３】
前記ロック解除レバー（６）は前記連結器（５）を直線的に駆動する、請求項１に記載の車両シート。
【請求項４】
前記ロック解除レバー（６）は、前記背もたれの進入容易位置への調節前に、前記連結器（５）を、直接的又は間接的に、前記背もたれと噛み合い接触及び／又は摩擦接触させる、請求項３に記載の車両シート。
【請求項５】
前記ロック解除レバーは、前記背もたれを進入容易に調節するために前記ロック機構のロックを解除する伝動軸（４）を回転するように駆動する、請求項１〜４のいずれか１項に記載の車両シート。
【請求項６】
前記背もたれを快適に調節するために前記ロック機構（３）のロックを解除する手段（２４）を有する、請求項１〜５のいずれか１項に記載の車両シート。
【発明の詳細な説明】
【技術分野】
【０００１】
本発明は、座部及び背もたれを備える車両シートであって、その使用位置にある背もたれを、快適さのため及び後部座席へのアクセスを容易にするために、使用位置から進入容易位置へ、座部に対して相対的に回転させることができ、背もたれが背もたれを所望の使用位置にロックするロック機構を有し、ロック機構と相互作用し且つ進入容易位置から移動する背もたれを再び元の所望の使用位置に自動的にロックする装置が背もたれに設けられている車両シートに関する。
【背景技術】
【０００２】
このタイプの車両シートは、例えば、特許文献１から知られている。他の先行技術は、特許文献２である。しかしながら、それらに記載される車両シートは、比較的複雑な設計のものである。
【先行技術文献】
【特許文献】
【０００３】
【特許文献１】欧州特許第０８６７３２９号明細書
【特許文献２】欧州特許第１１７８８９８号明細書
【発明の概要】
【発明が解決しようとする課題】
【０００４】
したがって、本発明の目的は、従来技術による車両シートよりも軽量で、構造がコンパクトであり、且つ背もたれの両側部内に記憶装置を設けることができる、当該タイプの車両シートを提供することである。
【課題を解決するための手段】
【０００５】
この目的は、座部及び背もたれを備える車両シートであって、その使用位置にある背もたれを、快適さのため及び後部座席へのアクセスを容易にするために、使用位置から進入容易位置へ、座部に対して相対的に回転させることができ、背もたれが背もたれを所望の使用位置にロックするロック機構を有し、ロック機構と相互作用し且つ進入容易位置から移動する背もたれを再び元の所望の使用位置に自動的にロックする装置が背もたれに設けられ、装置とロック機構が同軸上に設けられる車両シートによって達成される。
【０００６】
本発明は、座部及び背もたれを有する車両シートであって、背もたれが実質的に垂直に配置される「使用位置」において、背もたれが特定のシート乗員の背中にとってできるだけ快適な角度を取るように、背もたれを座部に対して相対的に調節することができる車両シートに関する。また、背もたれは、使用位置から「進入容易位置」へ回転させることができ、背もたれは、本発明に係る車両シートの後方に位置する車両シートがより容易に利用できる程度まで、座部に対して相対的に前方に回転される。
【０００７】
本発明によれば、車両シートは、背もたれをそれぞれ所望の使用位置にロックするロック機構を有する。進入容易位置から移動する背もたれが前記元の所望の使用位置を再び取ることを確実にするために、本発明に係る車両シートは、ロックシステムと相互作用し且つ背もたれが元の所望の角度位置を取るとすぐに背もたれを座部に対してロックする装置を有する。このタイプの装置は、当業者に、記憶装置と称される。
【０００８】
本発明によれば、記憶装置及びロック機構を同軸上に設けることが提供され、すなわち、記憶装置及びロック機構は、好ましくは軸線又は軸に沿って軸方向にずらして配置される。その結果、本発明に係る車両シートは、非常にコンパクトに構成され、車両シートの側部内に記憶装置を設けることが可能である。
【０００９】
本発明に係るこの主題に関してなされる説明は、本発明の発明に係る他の主題にも同様に適用され、その逆もまた同様である。
【００１０】
本発明に係る更なる主題又は本発明の好ましい主題によれば、装置は、使用位置から進入容易位置への背もたれの調節の際に、回転運動を純粋な並進運動に変換する手段を有する。この運動の変換によって、本発明に係る車両シートを、非常にコンパクトであるように且つ実質的にプラスチック部品を用いて実現されるように設計することができる。
【００１１】
本発明に係るこの主題に関してなされる説明は、本発明に係る他のすべての主題に同様に適用され、その逆もまた同様である。
【００１２】
本発明に係る更なる主題又は本発明の好ましい主題によれば、記憶装置は、直線的に調節可能な連結器を有する。
【００１３】
本発明のこの主題に関してなされる説明は、本発明の他の主題にも同様に適用され、その逆もまた同様である。
【００１４】
以下の説明は、本発明に係るすべての主題に同様に適用される。
【００１５】
好ましくは、記憶装置は、駆動される、好ましくは回転されるロック解除手段、例えばロック解除レバーを有する。
【００１６】
前記ロック解除手段は、好ましくは、記憶装置の連結器を駆動する。
【００１７】
また、好ましくは、ロック解除レバーは、背もたれの進入容易位置への調節の前に、連結器を、直接的又は間接的に、背もたれと噛み合い接触、非ポジティブ接触及び／又は摩擦接触させる。その結果、背もたれの回転運動は、連結器が同様に回転するように連結器に伝達される。
【００１８】
特に極めて好ましくはラッチ爪を制御する制御要素、例えばカムが、好ましくは連結器に設けられる。このようなラッチ爪によって、ロック解除レバーは、好ましくは、所望の位置に、特にそのロック解除位置にロックすることができる。
【００１９】
ロック解除レバーは、好ましくは伝動軸を回転するように駆動し、伝動軸は、背もたれを進入容易に調節するためにロック機構のロックを解除する。
【００２０】
また、好ましくは、本発明に係る車両シートは、背もたれを快適に調節するためにロック機構のロックを解除する手段、例えばレバーを有する。
【００２１】
本発明を、図１〜図７を参照して以下で説明する。前記説明は、単なる例示であり、全体的な発明の概念を限定するものではない。この説明は、本発明のすべての主題に同様に適用される。
【図面の簡単な説明】
【００２２】
【図１】記憶装置を示す。
【図２】記憶装置の分解図を示す。
【図３】記憶装置の動作のし方を示す。
【図４】進入容易位置に調節中の本発明に係る車両シートを示す。
【図５】進入容易位置に調節中の記憶装置の機能を示す。
【図６】本発明に係る車両シートを示す。
【図７】背もたれを進入容易位置に調節するためのボーデンケーブルを示す。
【発明を実施するための形態】
【００２３】
図１は、ロック解除レバー６を有する記憶装置２を示し、ロック解除レバー６は、伝動軸４を中心に回転可能であるように設けられるが、回転の恐れがないように伝動軸４に接続されてはいない。前記ロック解除レバー６は、背もたれをその使用位置から進入容易位置にすることが意図されるとき、例えば、ボーデンケーブルによって、回転するように駆動される。伝動軸４の周囲に広がる部分に、ロック解除レバー６は、ねじ山８、詳細には極めて急なねじ山を有する。このねじ山の側面が、作動ブッシング１１と相互作用し、作動ブッシング１１を純粋に並進的に、すなわち直線的に移動させる。この過程で、連結器５が引きずられ、すなわち同様に純粋に軸方向に移動させられ、背もたれにそれと共に回転するように接続されたハウジング１４と、非ポジティブ係合、噛み合い係合及び／又は摩擦係合させられる。ばね手段１６、ここでは複数の渦巻きばねが、作動ブッシング１１と連結器５との間に設けられ、ばね手段、ここではシャフトリング１３が、ハウジング１４と連結器５との間に設けられている。シャフトリングは、ハウジング１４から離れる、すなわち背もたれを再び回転させて進入容易位置から使用位置に戻すときの連結器５の移動を支援する。ばね手段１６は、主に許容誤差を補償するのに役立つ。制御要素９、ここではカムが、連結器５上に設けられ、前記カムは、特に図５に見られるように、ロック解除レバー６とロックするように相互作用することができる爪１０を駆動する。ばね手段７が爪１０に設けられ、回転方向に、ここでは時計回り方向に、爪にプレストレスを与える。また、記憶装置は、本発明に係る車両シートの座部にそれと共に回転するように締結手段１８を用いて接続されたブッシング１７を有する。前記ブッシングは、アキシアル軸受及び作動ブッシング１１を回転しないように固定する手段として、また爪１０のための回転軸受としても役立つ。ロック解除レバー６がそのロック解除位置になくなるとすぐにハウジング１４と連結器５との間の噛み合い接合、非ポジティブ接合及び／又は摩擦接合が解除されることを確実にするために、記憶装置は、作動ブッシングに接続され且つ作動ブッシング１１と連結器５との間の本質的に同じ後方への移動を確実にする、動力伝導部１９を有する。また、本発明に係る車両シートは、背もたれの両側壁の間で前進させられる伝動軸４を有する。伝動軸は、その一端に、図４に示すように、作動レバー２４を有し、作動レバー２４は、それが作動されるとすぐに、伝動軸４にトルクを加え、その結果、ロック機構のロックが解除される。駆動手段１２が、前記伝動軸４と共に回転するように設けられ、駆動手段は、使用位置から進入容易位置への背もたれの調節中にロック解除レバー６によって駆動され、それにより伝動軸４にトルクを伝達し、その結果、ロック機構３が同様にロック解除される。滑りリング１５は、実質的にはばね手段１６を取り付けるために、及び／又は連結器５に対する摩擦面として役立つ。記憶装置２は、非常にコンパクトに構成され、コンパクトな構成のおかげで発生する力及びモーメントが本質的に非常に小さいので、例えば図２に示すように、実質的にプラスチック部品２０から製造することができる。同様に、図２から推測できるように、連結器５とハウジング１４との間の摩擦接合が好ましい。したがって、面２３には、好ましくは、高い摩擦係数が与えられている。
【００２４】
図３は、再び記憶装置２の動作の様子を示す。記憶装置２は背もたれ１の側壁間に設けられ、すなわち、背もたれ１の側壁３２は、装置２とロック機構３との間に配置され、これは特に図６及び図７に見ることができる。作動レバー６が作動されない間は、伝動軸４と、したがって同様に駆動手段１２とは、ロック解除レバー６又は記憶装置２の別の部分の回転なしに回転できる。図３の左側部分に両矢印で示すように、軸受ジャーナルを中心に回転可能に配置された爪１０は、ラジアルカム９によって、前記爪がロック解除レバー６と係合しない位置に保持される。しかしながら、ロック解除レバー６が、図３の左側部分に矢印で示されるように回転されると、作動ブッシング１１は、両矢印３１で示すように軸方向に移動させられ、この過程で、連結器５を引きずり、これは連結器に設けられた両矢印で示される。連結器がハウジング１４とフォームフィット接合、非ポジティブ接合及び／又は摩擦接合されるとすぐに、前記連結器はその回転運動に、及びその結果背もたれの使用位置から進入容易位置への運動に加わり、これは同様に連結器５に更なる両矢印で示されている。背もたれが回転して進入容易位置から使用位置に戻るとすぐに、連結器５はハウジングから再び引き離され、２つの要素５、１４の間の噛み合い接合、非ポジティブ接合及び／又は摩擦接合が再び解除される。
【００２５】
図４ａ〜４ｃは、背もたれを快適に調節中の装置２を示す。特に、ロック解除レバー６が２つの噛み合い部分６．１、６．２を有し、駆動手段１２が２つの噛み合い部分１２．１、１２．２を有することが、図４ｂ〜４ｄから理解できる。次いで作動レバー２４が作動されると、伝動軸４が回転し、その結果、ロック機構３（図示せず）がロック解除される。シート乗員は、その後、例えば、自分の背中で押すか手で引くことにより、或いは、ばね装置を用いて、自由に回転する背もたれを自分にとって心地よい快適位置にすることができる。特に図４ｃで明らかなように、前記回転運動の間、部分１２．１、１２．２の軸受面は部分６．１、６．２との係合に入らず、すなわち、トルクは駆動手段１２によってロック解除レバー６に伝達されない。快適に調節が行われるとすぐに、シート乗員がレバー２４を解除し、ロック機構が再びロックする。その結果、記憶装置２は、レバー２４によってもたらされたロック解除に影響を受けないままである。対照的に、背もたれがその使用位置から進入容易位置にされると、これは図４ｄに示されており、部分６．１及び６．２は部分１２．１、１２．２との係合に入り、その結果、トルクがロック解除レバー６により駆動手段１２に伝達され、駆動手段１２を回転駆動する。前記回転運動は、ロック機構３のロックを解除する伝動軸４に同様に伝達される。その結果、ロック機構は、背もたれを使用位置から進入容易位置へ調節するためにロック解除される。
【００２６】
図５は、使用位置から進入容易位置への背もたれの回転中の記憶装置２を示す。図５ａによる図示では、連結器５は、ハウジング１４とまだ係合していない。図５ｂによる図示では、ロック解除レバー６は、連結器５がハウジング１４に、非ポジティブ接合、噛み合い接合及び／又は摩擦接合で接続される程度まで、矢印２５で示すように、反時計回りに回転される。これにより、進入容易位置から移動する背もたれが再びロックされる瞬間に、背もたれの位置を検出することができる。このために、ロック解除レバー６は、約１０度にわたって回転される。図５ｃに示すように、ロック解除レバー６が反時計回りに更に、例えば、２０度にわたって回転されると、ロック機構３（図示せず）はロック解除される。背もたれは、その後、設定されたその使用位置から進入容易位置に回転されることができる。これは図５ｄに示される。背もたれが小さい角度の部分、例えば４度にわたって、ここでは時計回り方向に回転されるとすぐに、爪１０が、矢印２７によって示されるように、ばね手段７によって時計回り方向に駆動され、制御カム９から外れて回転する。その結果、爪の左端がロック解除レバー６と噛み合い接合及び／又は非ポジティブ接合に入り、それによりロック解除レバー６が回転してそのロック解除位置（ここに図示）からロック位置（図５ａ参照）に戻るのを防ぐことができる。その結果、ロック機構３は、そのロック解除位置に保たれ、背もたれは、図５ｅに示すように、自由に回転することができ、その進入容易位置にすることができる。背もたれが回転して進入容易位置（図５ｅ）から使用位置に戻る場合、これは図５ｆに示され、ラジアルカム９が、背もたれの所望の位置に到達すると、爪１０の右側部分と再び係合に入り、再び矢印２７で示すように、反時計回りに爪１０を回転させる。その結果、爪１０は、矢印２８で示すように、ロック解除レバー６から外れ、ロック解除レバー６は、時計回り方向に回転してそのロック位置に戻ることができる。背もたれは、当初と、すなわち進入容易の調節前と全く同じ使用位置にある。
【００２７】
図６は、本発明に係る車両シート、特にその背もたれを示す。背もたれは、側壁３２の左側に記憶装置２を、側壁３２の右側にロック機構３を有する。記憶装置２とロック機構３が伝動軸４に沿って同軸上に設けられることをはっきり見ることができる。装置２が背もたれの側壁内に配置され、リクライナが背もたれの側壁の外側に配置されるという事実の結果、本発明に係る車両シートは、非常にコンパクトである。背もたれのフレームの２つの側壁は、横方向連結器３３によって互いに接続されており、下部横方向連結器のみがここに示されている。
【００２８】
図７は、背もたれを使用位置から進入容易位置にするためのトリガー機構を示す。これは、その一端（図示せず）が例えば圧力スイッチに接続されている、ボーデンケーブル２９によって行われる。ボーデンケーブルのスリーブ２９．１が、背もたれに固定して接続されたホルダー３０に取り付けられる。コア２９．２は、ロック解除レバー６に接続され、ロック解除レバー６を回転するように駆動する。
【符号の説明】
【００２９】
１  背もたれ
２  装置、記憶装置
３  ロック機構
４  伝動軸
５  連結器
６  ロック解除手段、ロック解除レバー
６．１  第１噛み合い部分
６．２  第２噛み合い部分
７  ばね手段
８  ねじ山
９  制御要素
１０  手段、爪
１１  手段、作動ブッシング
１２  駆動手段
１２．１  第１噛み合い部分
１２．２  第２噛み合い部分
１３  ばね手段、シャフトリング
１４  ハウジング
１５  滑りリング
１６  ばね手段、渦巻きばね
１７  ブッシング、座部に接続されたブッシング
１７．１  噛み合い手段、歯
１８  座部に設けられた固定手段、
１８．１  噛み合い手段、歯状凹部
１９  動力伝導部
２０  プラスチック部品
２１  プラスチック又は金属部品
２２  ばね手段
２３  好ましく増大した摩擦係数を有する面
２４  作動手段、レバー
２５  矢印
２６  矢印
２７  矢印
２８  矢印
２９  ボーデンケーブル
２９．１  スリーブ
２９．２  コア
３０  ボーデンケーブルのスリーブ用ホルダー
３１  両矢印
３２  背もたれの側壁
３３  背もたれの両側壁間の下部横方向連結器
【図１】
0005636499.tif 000002
【図２】
0005636499.tif 000003
【図３】
0005636499.tif 000004
【図４】
0005636499.tif 000005
【図５ａ）】
0005636499.tif 000006
【図５ｂ）】
0005636499.tif 000007
【図５ｃ）】
0005636499.tif 000008
【図５ｄ）】
0005636499.tif 000009
【図５ｅ）】
0005636499.tif 000010
【図５ｆ）】
0005636499.tif 000011
【図６】
0005636499.tif 000012
【図７】
0005636499.tif 000013